(57)【要約】  プラスチック製のフレキシブルなパッケージ容器であって、該パッケージ容器に、溶接シーム又は接着シームによって内壁及び外壁を有する領域が形成されており、内壁に、容器内部から内壁と外壁との間の領域へのガス流出を可能にする複数の開口が設けられている形式のものにおいて、内壁及び外壁を有する領域（４）を封入する溶接シーム若しくは接着シーム（７，９，１０）の少なくとも１部分領域が、ガス流出可能であるように形成されている。
2008500241.tif 000002
【特許請求の範囲】
【請求項１】
プラスチック製のフレキシブルなパッケージ容器であって、該パッケージ容器に、溶接シーム又は接着シームによって内壁及び外壁を有する領域が形成されており、内壁に、容器内部から内壁と外壁との間の領域へのガス流出を可能にする複数の開口が設けられている形式のものにおいて、
内壁及び外壁を有する領域（４）を封入する溶接シーム若しくは接着シーム（７，９，１０）の少なくとも１部分領域が、ガス流出可能であるように形成されていることを特徴とする、過剰圧力逃がしを備えたプラスチックバッグ。
【請求項２】
前記開口（１２）が孔である、請求項１記載のパッケージ容器。
【請求項３】
パッケージ容器（１）が、ＦＦＳチューブ、ブロックバッグ、開いた側方ひだ付きバッグ及び／又はフラットバッグ、（接着され且つ溶接された）弁付きボックスバッグ又は六角ボトムバッグであり、特にＦＦＳチューブである、請求項１又は２記載のパッケージ容器。
【請求項４】
内壁と外壁とを備えた領域（４）が、パッケージ容器の製作に使用される１枚のフラットフィルムの両外縁部（２，３）のオーバラップにより形成されている、請求項３記載のパッケージ容器。
【請求項５】
長手方向シーム７がガス流出を可能にしている、請求項４記載のパッケージ容器。
【請求項６】
１つの横方向シーム（９；１０）又は２つの横方向シーム（９，１０）がガス流出を可能にしている、請求項４記載のパッケージ容器。
【請求項７】
溶接シーム若しくは接着シーム（７，９，１０）が、溶接若しくは接着前にプラスチックの片面又は複数面に全面的又は部分的に剥離媒体１１を付与することにより弱化されており、これによりガス流出を可能にしている、請求項１から６までのいずれか１項記載のパッケージ容器。
【請求項８】
溶接シーム若しくは接着シーム（７，９，１０）が、溶接若しくは接着前にプラスチックの片面又は複数面に全面的又は部分的にコロナ放電処理（１１′）を施すことにより弱化されており、これによりガス流出を可能にしている、請求項１から６までのいずれか１項記載のパッケージ容器。
【発明の詳細な説明】
【技術分野】
【０００１】
本発明は、プラスチック製のフレキシブルなパッケージ容器に関する。
【０００２】
プラスチックパッケージは、軽量、安定的で、比較的密閉性、特に水密性及び気密性を有していると共に、廉価であるという点において優れている。従って、プラスチックパッケージは例えば化学産業（粒体ｅｔｃ．）、園芸分野（花用土、肥料）及び食品分野等の、極めて多くの分野におけるさらさらした固体を包装する場合に、広範に使用されている。
【０００３】
コストの理由から、「ＦＦＳチューブ」が有利である。これらのＦＦＳチューブの場合、パッケージ容器はエンドレスフィルムウェブから、大抵は充填直前に製作される。エンドレスフィルムウェブはチューブとして製作されるか、又はまず最初は１枚のフラットフィルムを丸めて長手方向で溶接又は接着することにより、チューブが形成される。このチューブは充填装置へ送られ、そこで横方向の第１の溶接シーム又は接着シームにより底部を形成し、充填物を充填した後で、容器は横方向の第２の溶接シーム又は接着シームにより上部を閉鎖される。
【０００４】
しばしば吸湿性の建築材料を包装する場合は、特に内容物を湿気から保護することが重要である。他方では、このような材料は従来はまだ度々紙容器に充填される。それというのも、セメント等の材料の場合は、充填中及び充填後にパッケージ内に過剰圧力が形成されるからである。この過剰圧力は紙を介して逃がすことはできるが、気密なプラスチックパッケージの場合は閉鎖後も過剰圧力が残留することになる。
【０００５】
この問題を回避するためには、「ブロックボトムバッグ」の場合、底部に弁を設けることが公知であり、この弁を介して充填時に過剰圧力を逃がす。但し、ブロックボトムバッグ及び特に前記のような手間のかかる弁構造は、建築材料等の比較的廉価な充填物のコスト的な理由から望ましくない。
【０００６】
ヨーロッパ特許第４４４２６１号明細書に記載された、バッグ又は袋状のフレキシブルなパッケージ容器の場合は、２層に形成された容器範囲内で複数の孔を介して空気抜きが行われる。このためには、内壁及び外壁にそれぞれ複数の孔が設けられており、この場合、外壁に設けられた孔は、内壁に設けられた孔よりも小さな横断面を有しているのが望ましい。この場合、内壁と外壁との間で過剰圧力が低下されることによって空気抜きが行われる。前記過剰圧力は制御された流出を可能にすることが望ましい。当該明細書からは、極めて微細な充填物の場合は、充填物の流出を防止するために、内壁と外壁との間にフィルタが必要であるということが判る。更に、過剰圧力を逃がした後で互いに直接に重なり合う前記複数の孔は、空気、水及びその他の不純物の流入開口を形成する。
【０００７】
従って、充填中及び／又は充填後に過剰圧力を導出しなければならない充填物のための、不純物及び／又は湿気から確実に保護すると同時に廉価なパッケージ容器が更に必要とされる。
【０００８】
この課題は、プラスチック製のフレキシブルなパッケージ容器であって、該パッケージ容器に、溶接シーム又は接着シームによって内壁及び外壁を有する領域が形成されており、内壁に、容器内部から内壁と外壁との間の領域へのガス流出を可能にする複数の開口が設けられており、更に、前記の内壁及び外壁を有する領域を封入する溶接シーム若しくは接着シームの少なくとも１部分領域が、ガス流出を可能にすることによって解決される。
【０００９】
驚くべきことに、溶接シーム若しくは接着シームの部分領域をガス透過性に形成することは、パッケージの安定性を損なうこと無しに可能である。
【００１０】
本発明の意図するパッケージ容器としては、とりわけＦＦＳチューブ、ブロックバッグ、開いた側方ひだ付きバッグ及び／又はフラットバッグ、(接着され且つ溶接された）弁付きボックスバッグ、六角ボトムバッグ、自動機械用(フラット)フィルム等が考慮されるが、特にＦＦＳパッケージが考慮される。
【００１１】
更に、フラットフィルムから製作され、これにより、製作に基づいて既にフィルムウェブの外縁間に長手方向で、内壁及び外壁間の領域として働くことのできるオーバラップが存在するパッケージ容器が特に有利である。即ち、これらのパッケージ容器においては、前記の内壁及び外壁間の領域を別個に形成することは不要である。
【００１２】
例えばインフレート法によってプラスチックフィルムを直接にチューブとして製作するパッケージ容器では、別個のフィルムを溶接結合又は接着結合により、パッケージ容器を形成するフィルムに取り付けることによって、内壁と外壁との間の領域を形成することができる。
【００１３】
有利には、１つ又は２つの横方向の溶接シーム若しくは接着シームがガス透過性に形成される。但し、長手方向の溶接シーム若しくは接着シームが存在する場合は、この溶接シーム若しくは接着シームの全体又は部分領域をガス透過性に形成することも可能である。
【００１４】
ガス透過性に形成するための有利な手段は、フィルム表面の結合しようとする箇所又は全体を、剥離媒体の付与又はコロナ放電処理により結合が低下された強度を有するように変化させるという点にある。この場合、剥離媒体の付与若しくはコロナ放電処理は、片面又は複数面において全面的に又は部分的に行われる。剥離媒体としては、例えばオイル、グリース、染料、ラッカ、粉末状固形物等の、プラスチックフィルムの溶接又は接着を妨げるあらゆる媒体が適している。
【００１５】
特にラッカが有利であり、しかも、ポリマ結合剤及び高い蒸気圧を有する溶剤を備えたラッカが特に適している。顔料は、本発明では必要とされていないが、含有されていてよい。良好に適したラッカは、例えばＸＳＹＳ  Ｐｒｉｎｔ  Ｓｏｌｕｔｉｏｎ（前のＢＡＳＦ  Ｄｒｕｃｋｓｙｓｔｅｍｅ）のＷＰ７４−０７６Ｄ及びＧｅｂｒ．ＳｃｈｍｉｄｔのＲＬ９０ＣＫ８２０−１である。これらのラッカの結合剤はポリアミドベースである。別の適当なラッカ及びコーティングは、Ｈｏｓｔｍａｎｎ＋Ｓｔｅｉｎｂｅｒｇ（Ｃｅｌｌｅ）；Ｉｎｓｔｉｔｕｔｅ  Ｆｒｅｓｅｎｉｕｓ：Ｆａｒｂｅｎ；Ｍｅｒｋｅｌ  Ｃｏａｔｉｎｇｓ（Ｇａｔｔｅｎｄｏｒｆ）；Ｒｅｉｃｏｌｏｒ  Ｃｈｅｍｉｅ  ＧｍｂＨ；Ｓｉｃｐａ（Ｈｅｌｓｉｎｋｉ）；及びＳｕｎ  Ｃｈｅｍｉｃａｌ（Ｎｉｅｄｅｒｈａｕｓｅｎ）から入手可能である。
【００１６】
弱化された結合シームは、充填中又は充填後に発生する過剰圧力を低下させるための、制御されたガス流出を保証する。従来技術において充填物の流出を防ぐために必要とされたフィルタ等の使用は不要である。それというのも、内壁に設けられた開口は、密な外壁によってカバーされているからである。弱化された結合シームを介した、極めて微細な粒子の流出さえもほぼ不可能である。このことは、部分的にのみ固着結合された２枚のフィルム間に、溶接若しくは接着による固着結合無しでもある程度の付着を生ぜしめる付着力が作用することに基づいている。充填時又は充填後に発生する過剰圧力等の差圧により前記付着力が克服される場合にのみ、結合シームが開いて過剰圧力を逃がす。
【００１７】
その結果、従来技術とは異なり手間のかかる弁構造も外壁の孔も不要である。
【００１８】
内壁と外壁との間の領域に侵入する可能性のある包装物を保持するためのフリースインサートも不要である。内壁に設けられた複数の開口は弱化された結合シームから隔てられており、有利には容器の真ん中の複数の開口及び横方向シームだけが弱化されているので、包装物の流出は長い距離に基づいてほぼ排除されている。同じことは、場合によっては内壁と外壁との間の領域に外部から侵入する不純物にも云える。
【００１９】
内壁に設けられた開口は、有利には穿刺によって形成された孔である。但し、スリット又はガス通流を可能にする別の開口を設けることも可能である。特に極めて微細な充填物に関して、前記開口は有利には、当該開口からガス流出を可能にする結合シームの（部分）領域までなるべく長い距離が生ぜしめられるように配置される。
【００２０】
従って、有利な構成では長手方向中心に配置された複数の開口が設けられており、ガス流出を可能にする部分領域が１つ又は２つの横方向シームに形成されている。
【００２１】
とりわけスタックされるパッケージ容器において過剰圧力の低下を更に改善するためには、内壁と外壁との間にスペーサが設けられていてよい。例えばエンボス加工が有益である。
【００２２】
前記スペーサは、スタックの下位に位置する容器においても、流出ガスが内壁と外壁との間の領域において結合シームの弱化された部分にまで到達するために役立つ。スペーサ無しだと、載置される容器の圧力により、容器内の過剰圧力が内壁と外壁との間の領域に到達しないか、又は内壁と外壁との間の領域において結合シームの弱化された（部分）領域に到達しないように、内壁と外壁とが重なり合って著しく押圧されるということが考えられる。
【００２３】
本発明によるパッケージ容器の製作は、過剰圧力逃がしを備えていない容器の製作とほぼ同様に行われる。少なくとも１つの結合シームを付与する前に、後で結合シームを形成する際にこの結合シームの少なくとも部分領域でガス透過性を得る表面処理の付加的なステップが必要なだけである。
【００２４】
以下に、本発明の実施例をＦＦＳパッケージの例で図面につき詳しく説明する。但し、本発明はこれに限定されるものではない。
【００２５】
図１に見られるＦＦＳチューブ１はプラスチックフィルムから製作されており、このプラスチックフィルムは、両フィルム外縁部２，３間に内壁５及び外壁６を備えた領域４（図２参照）が形成されるように長手方向で折り畳まれた。２つの溶接シーム７，８が長手方向でフィルム外縁部２，３を、その下位若しくは上位に位置するフィルムに位置固定するので、１本のチューブが形成される。このパッケージ容器には、底部を形成する溶接シーム９が充填前に付与され且つパッケージを閉鎖する溶接シーム１０が充填後に付与される。
【００２６】
フィルム外縁部２の、後に容器１の内部１４に面する側には、溶接シーム７をガス流出可能にする剥離剤１１が付与されている。更に、外縁部３に沿って長手方向で複数の孔１２及びエンボス加工部１３が設けられている。
【００２７】
図２では、１本のチューブを成すように溶接した後は、前記領域４の内壁に複数の孔１２が位置する状態になるということが認識される。このことは、同様にエンボス加工部１３（図２には図示せず）にも当てはまる。
【００２８】
パッケージ１の内部１４に過剰圧力が形成されると、直ちにガスが孔１２を介して前記領域４へ流入し、そこからガス透過性の溶接シーム７を介して外部へ導出される。場合によって生じる充填物の前記領域４への流入は無害である。それというのも、充填物が前記溶接シームを介して流出する恐れはほとんど無いからである。不純物の内室１４への侵入も懸念しなくてよい。それというのも、過剰圧力の低下後はインナフィルムとアウタフィルムとが互いに密着し且つ付着力によりこの状態で位置固定されるからである。
【００２９】
従って、充填後に過剰圧力を形成する傾向にある吸湿性のセメント含有建築材料を本発明によるパッケージを用いて包装することも可能である。
【００３０】
図３には、択一的なガス透過性の結合シームを備えたＦＦＳパッケージが示されている。同一構成部材には同一符号が付されている。
【００３１】
図３に示したＦＦＳチューブ１には、剥離剤の代わりにコロナ放電処理された領域１１′が設けられている。これにより、横方向溶接シーム９，１０は前記領域１１′が位置する箇所において、過剰圧力発生時のガス流出を可能にする。開口は、複数の孔１２として袋の真ん中にだけ形成されている。この場合、スペーサは設けられていない。この実施例は、特に極めて微細な粒子の充填物に適している。それというのも、開口からガス流出領域に至るまでの距離が特に長いからである。これにより、充填物の流出を事実上完全に防止することが可能である。
【図面の簡単な説明】
【００３２】
【図１】ＦＦＳパッケージの側面図である。
【図２】図１のＡ−Ａ線に沿った断面図である。
【図３】択一的なガス透過性の結合シームを備えたＦＦＳパッケージを示した図である。
【図１】
2008500241.tif 000003
【図２】
2008500241.tif 000004
【図３】
2008500241.tif 000005
【国際調査報告】
2008500241.tif 000006
2008500241.tif 000007
2008500241.tif 000008
2008500241.tif 000009